(57)【要約】【課題】不正解錠に対する防御性能を高めるとともに、利便性の向上等を図ることのできる遊技機を提供する。【解決手段】パチンコ機１０は、外枠１１と、これに対し開閉可能に支持された内枠１２と、内枠１２の前面側に開閉可能に支持された前面枠セット１４と、内枠１２の背面側に開閉可能に支持された裏パックユニットとを備えるとともに、外枠１１に対し内枠１２を施錠する機構と、内枠１２に対し前面枠セット１４を施錠する機構と、内枠１２に対し裏パックユニットを施錠する機構とを有する施錠装置を備えている。そして、鍵による同一方向への操作により前面枠セット１４と裏パックユニットの施錠作業や解錠作業を行うことができる。また、前面枠セット１４の解錠に要する前面枠セット鉤部の変位量と、裏パックユニットの解錠に要する裏パック鉤部の変位量とが異なっている。【選択図】      図１
2008154700.tif 000002
【特許請求の範囲】
【請求項１】
固定枠に対し左右一側部にて開閉可能に支持された遊技機本体と、
前記遊技機本体の前面側において、当該遊技機本体に対し前記左右一側部にて開閉可能に支持された前扉体と、
前記遊技機本体の背面側において、当該遊技機本体に対し前記左右一側部にて開閉可能に支持された後扉体とを備えるとともに、
前記遊技機本体の左右他側部に設けられるとともに、前記固定枠に対し前記遊技機本体を施錠する機構と、前記遊技機本体に対し前記前扉体を施錠する機構と、前記遊技機本体に対し前記後扉体を施錠する機構とを具備した施錠装置を備えた遊技機において、
前記施錠装置は、
鍵により操作される１つの錠部材と、
前記固定枠側に設けられた本体被係合部に係合されて前記遊技機本体の開放を規制する施錠位置に所定の付勢手段の付勢力により付勢され、前記鍵による第１の方向への操作に応じた前記錠部材の動作に連動して前記付勢手段の付勢力に抗して上下方向一方へ所定量変位することにより、前記本体被係合部から離脱して前記遊技機本体の開放を許容する解錠許容位置をとる本体用係合部と、
前記前扉体側に設けられた前扉体被係合部に係合されて前記前扉体の開放を規制する施錠位置に所定の付勢手段の付勢力により付勢され、前記鍵による第２の方向への操作に応じた前記錠部材の動作に連動して前記付勢手段の付勢力に抗して上下方向他方へ所定量変位することにより、前記前扉体被係合部から離脱して前記前扉体の開放を許容する解錠許容位置をとる前扉体用係合部と、
前記後扉体側に設けられた後扉体被係合部に係合されて前記後扉体の開放を規制する施錠位置に所定の付勢手段の付勢力により付勢され、前記鍵による第１又は第２の方向への操作に応じた前記錠部材の動作に連動して前記付勢手段の付勢力に抗して上下方向一方又は他方へ所定量変位することにより、前記後扉体被係合部から離脱して前記後扉体の開放を許容する解錠許容位置をとる後扉体用係合部とを備え、
前記後扉体用係合部が施錠位置から解錠許容位置に達するまでに要する変位量と、当該後扉体用係合部と連動して同方向へ動く前記本体用係合部又は前記前扉体用係合部が施錠位置から解錠許容位置に達するまでに要する変位量とを異ならせたことを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、メンテナンス等の観点から遊技機本体（内枠）が固定枠（外枠）に対し開閉可能に設けられている。そのため、店員以外の者が無断で遊技機本体を開放できないように、遊技機には施錠装置が設けられている。
【０００３】
かかる施錠装置としては、固定枠に対し遊技機本体を施錠する本体施錠機構と、遊技機本体の前面側に開閉可能に設けられた前扉を遊技機本体に対し施錠する前扉施錠機構とを併せ持ったものが知られている。一例としては、専用の鍵を用いて操作されるシリンダ錠と、固定枠側の被係合部に対し係脱可能に設けられた本体用鉤部材と、前扉側の被係合部に対し係脱可能に設けられた前扉用鉤部材と、鍵による一方向への回動操作に応じたシリンダ錠の動作を本体用鉤部材に伝える第１の伝達機構と、鍵による他方向への回動操作に応じたシリンダ錠の動作を前扉用鉤部材に伝える第２の伝達機構とを備えたものが挙げられる。そして、遊技機本体及び前扉の施錠状態では各鉤部材がそれぞれ対応する被係合部に係合されることで、遊技機本体が固定枠に対し開放不能となり、前扉が遊技機本体に対し開放不能となる。また、専用の鍵でシリンダ錠を一方向へ回動操作することにより本体用鉤部材が被係合部から離脱し遊技機本体が開放可能となる。一方、シリンダ錠を他方向へ回動操作することにより前扉用鉤部材が被係合部から離脱し前扉が開放可能となる。
【０００４】
近年、遊技ホールでは、営業中に遊技機本体を不正に解錠し、本体裏側に設けられた制御機器を不正に操作したり交換する等して、多くの遊技媒体を獲得する不正行為が行われることもある。このような不正解錠は、通常、遊技機本体と固定枠との隙間から針金等の線材を差込み、当該線材を施錠装置の本体用鉤部材に引っ掛けて解錠方向に動かすことにより行われる。本体用鉤部材に対して不正な解錠操作が行われると、本体用鉤部材が被係合部から離脱し、遊技機本体が開放可能となる。
【０００５】
なお、制御機器等への不正行為を防止する手段としては、遊技機本体の裏側に設けられた機構板等を遊技機本体に対し施錠する施錠装置などがある（例えば特許文献１参照）。このように機構板等が遊技機本体に対し施錠されていれば、制御機器等への不正行為は行われにくい。
【特許文献１】特開平１１−２８２８４号公報
【発明の開示】
【発明が解決しようとする課題】
【０００６】
しかしながら、上記特開平１１−２８２８４号公報に記載の発明のように、遊技機本体の施錠装置とは別に、機構板の施錠装置を別途設けた構成では、部品点数の増加が懸念される。さらに、これら施錠装置の位置、すなわち鍵を挿入する錠部材の位置が複数箇所に点在しているため、メンテナンス時等における機構板の開放作業が煩わしくなるおそれがある。
【０００７】
このため、利便性を考慮し、上記遊技機本体の施錠機構と前扉の施錠機構とを備えた施錠装置に、機構板の施錠機構を一体化することが考えられる。例えば、前扉の施錠機構を構成する伝達機構を兼用することにより、専用の鍵でシリンダ錠を所定方向へ回動操作した場合には、前扉用鉤部材と機構板用鉤部材とが各被係合部から離脱し、前扉及び機構板がそれぞれ開放可能となる構成とすることができる。
【０００８】
ところが、このような構成では、前扉用鉤部材及び機構板用鉤部材の一方が被係合部から離脱した状態となると、同時に他方の鉤部材も被係合部から離脱した状態となる。従って、例えば遊技機本体前面側のメンテナンス終了後など、開放状態にある前扉を閉鎖するに際し、一旦、前扉用鉤部材を離脱側に変位させた場合には、当該前扉用鉤部材とともに機構板用鉤部材も離脱側に変位する。そのため、前扉を閉鎖する勢いが強い場合など、場合によっては、本体裏側において機構板が開放されてしまったり、機構板の位置がずれて機構板用鉤部材が正常に係合位置に戻らず被係合部に係合できなくなるおそれがある。機構板用鉤部材が係合位置に戻らない場合には、同一の伝達機構により連動する前扉用鉤部材も被係合部に係合されないため、前扉及び機構板の両者とも施錠できなくなる。このような状態となると、遊技機本体裏面側のメンテナンスを行う場合と同様に、一旦遊技機本体を解錠し開放した上で、機構板を閉鎖し、その後、遊技機本体を閉鎖するといった非常に手間のかかる作業が必要となる。しかも、開放状態にある機構板を閉鎖する作業を行うに際して、今度は逆に前扉が開放されてしまうといった上記同様の不具合が生じ得る。このように上記構成の施錠装置では、前扉や機構板の施錠作業や解錠作業を行うに際し注意を要する。
【０００９】
なお、上記課題は、例えば遊技機本体の施錠機構を構成する伝達機構を兼用して、本体用鉤部材と機構板用鉤部材とが連動する構成にも該当する問題であるとともに、パチンコ機に限らず、同様の構造を有する他の遊技機にも該当する問題である。
【００１０】
本発明は、上記課題を解決するためになされたものであり、その目的は、不正解錠に対する防御性能を高めるとともに、利便性の向上等を図ることのできる遊技機を提供することにある。
【課題を解決するための手段】
【００１１】
以下、上記課題等を解決するのに適した各手段を項分けして説明する。なお、必要に応じて対応する手段に特有の作用効果等を付記する。
【００１２】
手段１．固定枠に対し左右一側部にて開閉可能に支持された遊技機本体と、
前記遊技機本体の前面側において、当該遊技機本体に対し前記左右一側部にて開閉可能に支持された前扉体と、
前記遊技機本体の背面側において、当該遊技機本体に対し前記左右一側部にて開閉可能に支持された後扉体とを備えるとともに、
前記遊技機本体の左右他側部に設けられるとともに、前記固定枠に対し前記遊技機本体を施錠する機構と、前記遊技機本体に対し前記前扉体を施錠する機構と、前記遊技機本体に対し前記後扉体を施錠する機構とを具備した施錠装置を備えた遊技機において、
前記施錠装置は、
鍵により操作される１つの錠部材と、
前記固定枠側に設けられた本体被係合部に係合されて前記遊技機本体の開放を規制する施錠位置に所定の付勢手段の付勢力により付勢され、前記鍵による第１の方向への操作に応じた前記錠部材の動作に連動して前記付勢手段の付勢力に抗して上下方向一方へ所定量変位することにより、前記本体被係合部から離脱して前記遊技機本体の開放を許容する解錠許容位置をとる本体用係合部と、
前記前扉体側に設けられた前扉体被係合部に係合されて前記前扉体の開放を規制する施錠位置に所定の付勢手段の付勢力により付勢され、前記鍵による第２の方向への操作に応じた前記錠部材の動作に連動して前記付勢手段の付勢力に抗して上下方向他方へ所定量変位することにより、前記前扉体被係合部から離脱して前記前扉体の開放を許容する解錠許容位置をとる前扉体用係合部と、
前記後扉体側に設けられた後扉体被係合部に係合されて前記後扉体の開放を規制する施錠位置に所定の付勢手段の付勢力により付勢され、前記鍵による第１又は第２の方向への操作に応じた前記錠部材の動作に連動して前記付勢手段の付勢力に抗して上下方向一方又は他方へ所定量変位することにより、前記後扉体被係合部から離脱して前記後扉体の開放を許容する解錠許容位置をとる後扉体用係合部とを備え、
前記後扉体用係合部が施錠位置から解錠許容位置に達するまでに要する変位量と、当該後扉体用係合部と連動して同方向へ動く前記本体用係合部又は前記前扉体用係合部が施錠位置から解錠許容位置に達するまでに要する変位量とを異ならせたことを特徴とする遊技機。
【００１３】
上記手段１によれば、遊技機本体の背面側に後扉体を備えるとともに、当該後扉体を遊技機本体に対し施錠する機構を備えている。つまり、従来と同様に遊技機本体の背面側において後扉体が制御機器等を覆うように配置されることで、制御機器等に対する不正行為を行うことは困難となる。
【００１４】
また、固定枠に対し遊技機本体を施錠する機構、遊技機本体に対し前扉体を施錠する機構、及び遊技機本体に対し後扉体を施錠する機構を１つの施錠装置に一体化しているため、部品点数の増加を抑制することができる。さらに、１つの錠部材に対し鍵を挿し込み、異なる操作を行うことで、１つの施錠装置により遊技機本体、前扉体及び後扉体の施錠及び解錠操作を行うことができるようになる。このため、複数の鍵を使い分けるといった面倒もなく、メンテナンス時等における作業性の向上を図ることができる。
【００１５】
加えて、第１の方向への操作又は第２の方向への操作といった鍵による同一方向への操作により、遊技機本体と後扉体、又は、前扉体と後扉体の両方を解錠することができる。
【００１６】
さらにまた、上記手段では、鍵による同一方向への操作により施錠作業や解錠作業を行うことのできる両開閉体（遊技機本体と後扉体、又は、前扉体と後扉体）のうち、一方の開閉体の解錠に要する施錠装置側の係合部の変位量と、他方の開閉体の解錠に要する施錠装置側の係合部の変位量とを異ならせている。これにより、両開閉体のうちの一方（解錠に要する施錠装置側の係合部の変位量が大きい方）が開放不能な状態のまま、他方（解錠に要する施錠装置側の係合部の変位量が小さい方）を開放可能な状態とすることができる。また、例えば開放状態にある前記他方の開閉体を閉鎖する際に、一旦、この開閉体に対応する係合部を解錠許容位置に変位させたとしても、前記一方の開閉体に対応する係合部は解錠許容位置に達しないため、当該一方の開閉体は規制解除されず開放可能とならない。そのため、仮に前記他方の開閉体を閉鎖する勢いが強かったとしても前記一方の開閉体が開放されてしまうおそれもない。従って、前記他方の開閉体の施錠作業や解錠作業を行う際に、前記一方の開閉体へ与える影響を低減させ、上記課題で述べたような不具合の発生を抑制することができる。
【００１７】
結果として、不正解錠に対する防御性能を高めるとともに、メンテナンス時等における作業性の向上など利便性の向上を図ることができる。
【００１８】
なお、以下の手段においても同様であるが、遊技機本体、前扉体及び後扉体に対応して設けられる係合部及び被係合部の数は１つに限定されるものではなく、これらを複数備えた構成としてもよい。
【００１９】
また、上記「左右一側部」とは、左右方向における一方側を指し、「左右一側部」が例えば「右側部」であれば、「左右他側部」は「左側部」となる。逆に、「左右一側部」が「左側部」であれば、「左右他側部」は「右側部」となる。
【００２０】
また、錠部材の例としては、鍵が挿入されて回動操作されるシリンダ錠などが挙げられる。この場合、鍵により操作される作動部は、回動可能に設けられた錠軸や、当該錠軸に固定された係合片（カム板）等から構成されることとなる。また、第１の方向への操作及び第２の方向への操作としては、一方への回動操作、及び、他方への回動操作が挙げられる。
【００２１】
手段２．前記本体用係合部又は前記本体被係合部のうち一方を、他方に係止される爪部を有する本体用鉤部とし、
前記前扉体用係合部又は前記前扉体被係合部のうち一方を、他方に係止される爪部を有する前扉体用鉤部とし、
前記後扉体用係合部又は後扉体被係合部のうち一方を、他方に係止される爪部を有する後扉体用鉤部とし、
前記後扉体用鉤部の爪部の突出長（上下方向の長さ）と、前記本体用鉤部又は前扉体用鉤部の爪部の突出長とを異ならせたことを特徴とする手段１に記載の遊技機。
【００２２】
上記手段２によれば、爪部の突出長を異ならせるといった比較的簡単な構成により上記手段１を実現することができ、構成の簡素化を図ることができる。
【００２３】
手段３．前記係合部又は被係合部のうちの一方である鉤部は、上下方向に対し傾斜した傾斜案内部を有し、当該傾斜案内部が他方である前記係合部又は被係合部に摺接することにより、前記係合部が前記付勢手段の付勢力に抗して解錠許容位置側へ変位可能に構成されていることを特徴とする手段２に記載の遊技機。
【００２４】
上記手段３によれば、遊技機本体などの開閉体を閉じる際に鉤部の傾斜案内部が他方の係合部又は被係合部に摺接することより、開閉体を閉じる横方向の力を施錠装置の係合部を解錠方向へ動かす力に換えることができる。従って、各開閉体を開状態から閉状態とする施錠時においては、鍵による操作を行うことなく施錠を行うことが可能となる。例えば本体用係合部が爪部を有する本体用鉤部である場合には、遊技機本体を閉じていくと、先ず本体用鉤部の傾斜案内部が固定枠側の本体被係合部に接する。さらに遊技機本体を閉じていくことで、コイルばね等の付勢手段の付勢力に抗して本体用鉤部が解錠方向へ変位する。そして、本体用鉤部が本体被係合部を乗り越えると、本体用鉤部は付勢手段の付勢力により元の位置に戻り、爪部により本体被係合部に係止される。これにより遊技機本体の施錠が完了する。このように鍵による操作を行うことなく施錠を行う場合には、開閉体を閉じ切る際の振動等により、上記課題で述べたような不具合が発生しやすい。従って、このような構成において上記手段１等の構成がより奏効することとなる。
【００２５】
手段４．前記鍵による第１の方向への操作に応じた前記錠部材の動作に連動して上下方向一方へ摺動する第１の摺動部材と、
前記鍵による第２の方向への操作に応じた前記錠部材の動作に連動して上下方向他方へ摺動する第２の摺動部材とを備え、
前記本体用係合部は、前記第１の摺動部材の動きに連動して動き、
前記前扉体用係合部は、前記第２の摺動部材の動きに連動して動き、
前記後扉体用係合部は、前記第１の摺動部材又は前記第２の摺動部材の動きに連動して動くことを特徴とする手段１乃至３のいずれかに記載の遊技機。
【００２６】
上記手段４によれば、比較的簡単な構成により上記手段１等を実現することができ、構成の簡素化を図ることができる。なお、係合部が摺動部材の動きに連動して動くことには、係合部が摺動部材に対し相対変位不能に設けられ、一体的に動くことが含まれる。構成例としては、係合部が摺動部材と一体形成された構成や、係合部が摺動部材に対し相対変位不能に固定された構成などが挙げられる。
【００２７】
手段５．前記後扉体用係合部が施錠位置から解錠許容位置に達するまでに要する変位量が、当該後扉体用係合部と連動して同方向へ動く前記本体用係合部又は前記前扉体用係合部が施錠位置から解錠許容位置に達するまでに要する変位量より大きく設定されていることを特徴とする手段１乃至４のいずれかに記載の遊技機。
【００２８】
上記手段５によれば、遊技機本体又は前扉体の施錠作業や解錠作業を行う際に、後扉体が開放されてしまうような不具合の発生を抑制することができる。特に、後扉体は遊技機本体の背面側にあるため、気付かぬうちに開放してしまうおそれがある。さらに、このように後扉体が開放されてしまった場合には、一旦、遊技機本体を開放した上で後扉体を閉鎖するといった非常に手間のかかる作業を要する。従って、上記手段５の構成がより奏効することとなる。
【００２９】
手段６．前記後扉体用係合部が施錠位置から解錠許容位置に達するまでに要する変位量が、当該後扉体用係合部と連動して同方向へ動く前記本体用係合部又は前記前扉体用係合部が施錠位置から解錠許容位置に達するまでに要する変位量より小さく設定されていることを特徴とする手段１乃至４のいずれかに記載の遊技機。
【００３０】
上記手段６によれば、後扉体の施錠作業や解錠作業を行う際に、遊技機本体又は前扉体が開放されてしまうような不具合の発生を抑制することができる。
【００３１】
手段７．前記後扉体用係合部が前記本体用係合部と連動して動く構成であることを特徴とする手段１乃至６のいずれかに記載の遊技機。
【００３２】
上記手段７によれば、鍵による同一方向への操作により遊技機本体と後扉体の施錠作業や解錠作業を行うことができる。換言すれば、前扉体用係合部と後扉体用係合部は別々に動く機構に属するため、前扉体又は後扉体の一方の施錠作業や解錠作業を行う際に、他方の扉体が開放されてしまう等といった不具合が発生しない。なお、遊技機本体を解錠し開放する場合は、通常、本体背面側のメンテナンスを行うのが目的であり、鍵を用いて遊技機本体を解錠した際に併せて後扉体が解錠され開放されてしまったとしても不具合は少ない。また、遊技機本体背面側のメンテナンス終了後に、開放状態にある後扉体を閉鎖するに際して、遊技機本体は既に開放状態にあるため、改めて開放されてしまうおそれはない。さらに、遊技機本体を閉鎖する際には、当該遊技機本体に対し後扉体が閉鎖された状態で両者が一体的に同一方向へ動くため、後扉体が遊技機本体から開放されてしまうおそれは少ない。結果として、上記課題で述べたような不具合の発生を抑制することができる。
【００３３】
手段８．前記後扉体用係合部が前記前扉体用係合部と連動して動く構成であることを特徴とする手段１乃至６のいずれかに記載の遊技機。
【００３４】
上記手段８によれば、鍵による同一方向への操作により前扉体と後扉体の施錠作業や解錠作業を行うことができる。換言すれば、本体用係合部と後扉体用係合部は別々に動く機構に属するため、遊技機本体又は後扉体の一方の施錠作業や解錠作業を行う際に、他方の開閉体が開放されてしまう等といった不具合が発生しない。また、後扉体用係合部が前扉体用係合部と連動して動く構成では、遊技機本体前面側のメンテナンス終了後など、開放状態にある前扉体を閉鎖するに際して、閉鎖状態にある遊技機本体の背面側において後扉体が開放されてしまうおそれがある。そのため、上記手段１等の構成がより奏効することとなる。
【００３５】
手段９．固定枠に対し左右一側部にて開閉可能に支持された遊技機本体と、
前記遊技機本体の前面側において、当該遊技機本体に対し前記左右一側部にて開閉可能に支持された前扉体と、
前記遊技機本体の背面側において、当該遊技機本体に対し前記左右一側部にて開閉可能に支持された後扉体とを備えるとともに、
前記遊技機本体の左右他側部に設けられるとともに、前記固定枠に対し前記遊技機本体を施錠する機構と、前記遊技機本体に対し前記前扉体を施錠する機構と、前記遊技機本体に対し前記後扉体を施錠する機構とを具備した施錠装置を備えた遊技機において、
前記施錠装置は、
鍵により操作される１つの錠部材と、
前記固定枠側に設けられた本体被係合部に係合されて前記遊技機本体の開放を規制する施錠位置に所定の付勢手段の付勢力により付勢され、前記鍵による第１の方向への操作に応じた前記錠部材の動作に連動して前記付勢手段の付勢力に抗して上下方向一方へ所定量変位することにより、前記本体被係合部から離脱して前記遊技機本体の開放を許容する解錠許容位置をとる本体用係合部と、
前記後扉体側に設けられた後扉体被係合部に係合されて前記後扉体の開放を規制する施錠位置に所定の付勢手段の付勢力により付勢され、前記鍵による第２の方向への操作に応じた前記錠部材の動作に連動して前記付勢手段の付勢力に抗して上下方向他方へ所定量変位することにより、前記後扉体被係合部から離脱して前記後扉体の開放を許容する解錠許容位置をとる後扉体用係合部と、
前記前扉体側に設けられた前扉体被係合部に係合されて前記前扉体の開放を規制する施錠位置に所定の付勢手段の付勢力により付勢され、前記鍵による前記第１の方向への操作に応じた前記錠部材の動作に連動して前記付勢手段の付勢力に抗して上下方向一方へ所定量変位することにより、前記前扉体被係合部から離脱して前記前扉体の開放を許容する解錠許容位置をとる前扉体用係合部とを備え、
前記前扉体用係合部が施錠位置から解錠許容位置に達するまでに要する変位量と、当該前扉体用係合部と連動して同方向へ動く前記本体用係合部が施錠位置から解錠許容位置に達するまでに要する変位量とを異ならせたことを特徴とする遊技機。
【００３６】
上記手段９によれば、鍵による同一方向への操作により遊技機本体と前扉体の施錠作業や解錠作業を行うことができる。換言すれば、本体用係合部及び前扉体用係合部と、後扉体用係合部とが別々に動く機構に属するため、遊技機本体又は前扉体の施錠作業や解錠作業を行う際に、後扉体が開放されてしまう等といった不具合が発生しない。結果として、上記手段１と同様の作用効果が奏される。
【００３７】
さらに、鍵による同一方向への操作により施錠作業や解錠作業を行うことのできる遊技機本体及び前扉体のうち、一方の開閉体の解錠に要する施錠装置側の係合部の変位量と、他方の開閉体の解錠に要する施錠装置側の係合部の変位量とを異ならせている。これにより、両開閉体のうちの一方（解錠に要する施錠装置側の係合部の変位量が大きい方）が開放不能な状態のまま、他方（解錠に要する施錠装置側の係合部の変位量が小さい方）を開放可能な状態とすることができる。
【００３８】
手段１０．前記前扉体用係合部が施錠位置から解錠許容位置に達するまでに要する変位量が、当該前扉体用係合部と連動して同方向へ動く前記本体用係合部が施錠位置から解錠許容位置に達するまでに要する変位量より小さく設定されていることを特徴とする手段９に記載の遊技機。
【００３９】
上記手段１０によれば、例えば開放状態にある前扉体を閉鎖する際に、一旦、前扉体用係合部を解錠許容位置に変位させたとしても、本体用係合部は解錠許容位置に達しないため、遊技機本体は規制解除されず開放可能とならない。そのため、仮に前扉体を閉鎖する勢いが強かったとしても遊技機本体が開放されてしまうおそれが少ない。従って、前扉体の施錠作業や解錠作業を行う際に、遊技機本体が開放されてしまうような不具合の発生を抑制することができる。
【００４０】
手段１１．前記本体用係合部又は前記本体被係合部のうち一方を、他方に係止される爪部を有する本体用鉤部とし、
前記前扉体用係合部又は前記前扉体被係合部のうち一方を、他方に係止される爪部を有する前扉体用鉤部とし、
前記後扉体用係合部又は後扉体被係合部のうち一方を、他方に係止される爪部を有する後扉体用鉤部とし、
前記前扉体用鉤部の爪部の突出長（上下方向の長さ）と、前記本体用鉤部の爪部の突出長とを異ならせたことを特徴とする手段９又は１０に記載の遊技機。
【００４１】
上記手段１１によれば、爪部の突出長を異ならせるといった比較的簡単な構成により上記手段９や手段１０を実現することができ、構成の簡素化を図ることができる。
【００４２】
手段１２．前記係合部又は被係合部のうちの一方である鉤部は、上下方向に対し傾斜した傾斜案内部を有し、当該傾斜案内部が他方である前記係合部又は被係合部に摺接することにより、前記係合部が前記付勢手段の付勢力に抗して解錠許容位置側へ変位可能に構成されていることを特徴とする手段１１に記載の遊技機。
【００４３】
上記手段１２によれば、上記手段３と同様の作用効果が奏される。
【００４４】
手段１３．前記鍵による第１の方向への操作に応じた前記錠部材の動作に連動して上下方向一方へ摺動する第１の摺動部材と、
前記鍵による第２の方向への操作に応じた前記錠部材の動作に連動して上下方向他方へ摺動する第２の摺動部材とを備え、
前記本体用係合部は、前記第１の摺動部材の動きに連動して動き、
前記前扉体用係合部は、前記第１の摺動部材の動きに連動して動き、
前記後扉体用係合部は、前記第２の摺動部材の動きに連動して動くことを特徴とする手段９乃至１２のいずれかに記載の遊技機。
【００４５】
上記手段１３によれば、上記手段４と同様の作用効果が奏される。
【００４６】
以下に、上記各手段が適用される各種遊技機の基本構成を示す。
【００４７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【００４８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【００４９】
Ｃ．上記各手段における前記遊技機、又は、上記各弾球遊技機は、パチンコ機又はパチンコ機に準ずる遊技機であること。
【００５０】
Ｄ．上記遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【発明を実施するための最良の形態】
【００５１】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００５２】
図１乃至図４に示すように、パチンコ機１０は、当該パチンコ機１０の外郭を構成する固定枠としての外枠１１を備えており、この外枠１１の一側部に遊技機本体としての内枠１２が開閉可能に支持されている。外枠１１は、例えば木製の板材により全体として矩形状に構成され、小ネジ等の離脱可能な締結具により各板材が組み付けられている。
【００５３】
ここで、外枠１１について図５を参照しつつ説明する。外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、外枠１１の右辺部には、後述する施錠装置６００の内枠鉤部６３７，６３８に対応して、上下一対の本体被係合部としての受け金具８３，８４が取付けられている。
【００５４】
さらに、外枠１１下部には、樹脂製の幕板飾り８５が取着されている。幕板飾り８５の上面奥部には、上方に突出するリブ８８が一体形成されている。これにより内枠１２との間に隙間が形成されにくくなっている。また、外枠１１の右辺部内側面には切欠き部８９が形成されている。この切欠き部８９は、内枠１２を閉状態とした際に、内枠１２の背面側に設けられた施錠装置６００等が外枠１２と接触するのを防止するためのものである。
【００５５】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００５６】
また、内枠１２の前面側には、前扉体としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００５７】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００５８】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００５９】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００６０】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００６１】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００６２】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図９参照）が設けられるとともに、当該スピーカＳＰの前側にスピーカカバー２４が取着されている。
【００６３】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００６４】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００６５】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００６６】
次に、遊技盤３０の構成について図６を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００６７】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００６８】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００６９】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００７０】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００７１】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００７２】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００７３】
内レール構成部５１の先端部分（図６の左上部）には戻り球防止部材５３が取着されている。これにより、一旦、レール５０から遊技盤３０の上部へと案内された遊技球が再度レール５０内に戻ってしまうといった事態が防止される。
【００７４】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００７５】
次に、パチンコ機１０の背面の構成を図８に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００７６】
なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００７７】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００７８】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００７９】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００８０】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００８１】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００８２】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００８３】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００８４】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００８５】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００８６】
次に、裏パックユニット２０３の構成を説明する。裏パックユニット２０３は、樹脂成形された裏パック３５１と遊技球の払出機構部３５２とを一体化したものであり、本実施形態における後扉体に相当する。
【００８７】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００８８】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【００８９】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００９０】
次に、パチンコ機１０の電気的構成について説明する。図９は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００９１】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００９２】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００９３】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【００９４】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【００９５】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【００９６】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【００９７】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００９８】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００９９】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１００】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１０１】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１０２】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【０１０３】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１０４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【０１０５】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１０６】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１０７】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１０８】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１０９】
次に、内枠１２の施錠機構、前面枠セット１４の施錠機構、及び裏パックユニット２０３の施錠機構について図１０乃至図１５を参照して説明する。本実施形態では、内枠１２は外枠１１に対し施錠され、前面枠セット１４及び裏パックユニット２０３は内枠１２に対し施錠される。これらの施錠機構は単一の施錠装置６００によって具現化されている。後述するように施錠装置６００は、前面枠セット１４の前面側に露出するシリンダ錠７００（図１等参照）を備えており、該シリンダ錠７００の鍵穴７０２に鍵Ｋを挿入し、一方に回動操作することで内枠１２を解錠でき、他方に回動操作することで前面枠セット１４及び裏パックユニット２０３を解錠できるようになっている。ここで、図１０は、施錠装置６００の背面図であり、図１１は右側面図、図１２は左側面図、図１３は正面図である。また、図１４は、背面側から見た施錠装置６００の分解図であり、図１５は、側面側から見た施錠装置６００の分解図である。
【０１１０】
施錠装置６００は、内枠１２の背面側左側辺部（図７左側）に沿って取付けられている。施錠装置６００の外郭を構成する縦長の基枠６０１は、内枠１２の背面部に固定される取付部としての取付板６０２と、当該取付板６０２の内枠１２内方側（窓孔３９側）の端縁から後方に突出した支持部としての支持板６０３と、取付板６０２の内枠１２外方側の端縁から後方に突出したフランジ部６０４とを備えており、これらが一体となって横断面略コ字状をなしている。なお、施錠装置６００を構成する基枠６０１などの各部材は、金属平板をプレス成形等することにより形成されている。
【０１１１】
また、取付板６０２では、シリンダ錠７００の配置位置に対応する所定の上下区間が他部位より左右方向に幅広の幅広部６０２ａとなっており、支持板６０３では、前記幅広部６０２ａに対応する上下区間が内枠１２内方側へ膨出した膨出部６０３ａとなっている。これは、遊技領域や各種制御基板等の設置スペースをより広く確保するために、施錠装置６００全体の横幅を極力狭くしつつ、シリンダ錠７００の配設位置においては、その設置スペースを確保するためである。
【０１１２】
ここで、先ず前面枠セット１４の施錠機構及び裏パックユニット２０３の施錠機構に係る部分について説明する。基枠６０１の内側には、前記両施錠機構の主要構成部となる第１摺動杆６０５が上下方向に摺動可能なように配設されている。
【０１１３】
第１摺動杆６０５は、取付板６０２に略当接状態で摺動する取付側壁部６０６と、支持板６０３に略当接状態で摺動する支持側壁部６０７とからなる横断面Ｌ字状の本体部６０８を備えている。第１摺動杆６０５（本体部６０８）が本実施形態における第２の摺動部材を構成する。
【０１１４】
取付側壁部６０６は、シリンダ錠７００の取付けの妨げにならないように、シリンダ錠７００の配置位置に対応する所定の上下区間（上記取付板６０２の幅広部６０２ａに対応する所定の上下区間）が切り欠かれた状態となっている。
【０１１５】
これに合わせて、支持板６０３の膨出部６０３ａに対応する支持側壁部６０７の所定の上下区間には、内枠１２内方側へ膨出した膨出部６０７ａが形成されている。但し、支持側壁部６０７の膨出部６０７ａの形成区間は、支持板６０３の膨出部６０３ａの形成区間よりも短く設定されており、第１摺動杆６０５の摺動の妨げとならないようになっている。
【０１１６】
さて、第１摺動杆６０５には、その上部、中部及び下部の３箇所に、前面枠セット１４施錠用の前面枠セット鉤部６１０，６１１，６１２が設けられている。前面枠セット鉤部６１０，６１１，６１２が本実施形態における前扉体用鉤部（前扉体用係合部）に相当する。
【０１１７】
前面枠セット鉤部６１０，６１１，６１２は、取付側壁部６０６の内枠１２外方側の端縁部から前方に向け延出した軸部６１０ａ，６１１ａ，６１２ａと、当該軸部６１０ａ，６１１ａ，６１２ａの前端側において前方へ先細りするように設けられた略三角形状の頭部６１０ｂ，６１１ｂ，６１２ｂとから構成されている。
【０１１８】
頭部６１０ｂ，６１１ｂ，６１２ｂの上端部は、軸部６１０ａ，６１１ａ，６１２ａより上方に突出しており、当該突出部分が本実施形態における爪部（係止部）として機能する。従って、前面枠セット鉤部６１０，６１１，６１２は、自身の上側において後述する前面枠セット１４の受け金具１７に係止されることとなる。本実施形態における頭部６１０ｂ，６１１ｂ，６１２ｂ（爪部）の突出長Ｔ１は、約５．０ｍｍに設定されている。
【０１１９】
また、各頭部６１０ｂ，６１１ｂ，６１２ｂの上辺部は、先端部に向けて下方に傾斜した傾斜案内部（図１９：頭部６１０ｂの傾斜案内部６１０ｄ参照）となっている。
【０１２０】
一方、取付側壁部６０６には、各前面枠セット鉤部６１０，６１１，６１２よりもやや上方位置において、上下方向に長い長円状のガイド孔６１３，６１４，６１５が形成されている。これらガイド孔６１３，６１４，６１５を介して、基枠６０１内側から取付板６０２に対しガイドピン６１６，６１７，６１８が固定されている。
【０１２１】
さらに、第１摺動杆６０５には、支持側壁部６０７の後端縁部の上下２箇所において、裏パックユニット２０３施錠用の裏パック鉤部６２１，６２２が設けられている。裏パック鉤部６２１，６２２が本実施形態における後扉体用鉤部（後扉体用係合部）に相当する。
【０１２２】
両裏パック鉤部６２１，６２２のうち上側の裏パック鉤部６２１は、上部の前面枠セット鉤部６１０と中部の前面枠セット鉤部６１１の間の高さ位置に設けられている。一方、下側の裏パック鉤部６２２は、中部の前面枠セット鉤部６１１と下部の前面枠セット鉤部６１２との間の高さ位置で、支持側壁部６０７の膨出部６０７ａ（シリンダ錠７００の配置位置）よりやや上方位置に設けられている。
【０１２３】
各裏パック鉤部６２１，６２２についてより詳しく説明すると、裏パック鉤部６２１，６２２は、支持側壁部６０７の後端縁部から後方へ延出した基部６２１ａ，６２２ａと、当該基部６２１ａ，６２２ａからさらに後方へ延出した軸部６２１ｂ，６２２ｂと、当該軸部６２１ｂ，６２２ｂの後端側において後方へ先細りするように設けられた略三角形状の頭部６２１ｃ，６２２ｃとから構成されている。
【０１２４】
頭部６２１ｃ，６２２ｃの上端部は、軸部６２１ｂ，６２２ｂより上方に突出しており、当該突出部分が本実施形態における爪部（係止部）として機能する。従って、裏パック鉤部６２１，６２２は、自身の上側において後述する裏パックユニット２０３の受け金具２０４に係止されることとなる。本実施形態における頭部６２１ｃ，６２２ｃ（爪部）の突出長Ｔ２は約１０．０ｍｍに設定されている。
【０１２５】
また、頭部６２１ｃ，６２２ｃの上辺部は、先端部に向けて下方に傾斜した傾斜案内部（図１９：頭部６２１ｃの傾斜案内部６２１ｄ参照）となっている。
【０１２６】
裏パック鉤部６２１，６２２に対応して、支持板６０３の後端縁部には、後方へ延出した延出部６２５，６２６が形成されている。延出部６２５，６２６は、裏パック鉤部６２１，６２２の基部６２１ａ，６２２ａの摺動範囲ほぼ全域において、当該基部６２１ａ，６２２ａと重畳するように形成されており、基部６２１ａ，６２２ａと常時略当接状態で当該基部６２１ａ，６２２ａを支持している。なお、上側の裏パック鉤部６２１の基部６２１ａ及び支持板６０３の延出部６２５は、下側の裏パック鉤部６２２の基部６２２ａ及び支持板６０３の延出部６２６に比べて、上下方向の形成区間がより長めに設定されており、その下端部は、裏パック鉤部６２１の軸部６２１ｂ及び頭部６２１ｃの高さ位置より、かなり下方に位置している。これは、後述するように、上側の裏パック鉤部６２１の基部６２１ａの下部にコイルばねＣ１を掛けるためである。
【０１２７】
また、延出部６２５，６２６には、各裏パック鉤部６２１，６２２より上方位置において、第１摺動杆６０５の後方への動きを規制する規制突起６２９，６３０が設けられている。規制突起６２９，６３０は、第１摺動杆６０５の取付状態の安定性を高める機能とともに、第１摺動杆６０５の摺動動作の安定性を高めるガイド部としての機能を備えている。従って、第１摺動杆６０５は、取付板６０２や規制突起６２９，６３０により前後方向への動きを規制され、かつ、上記ガイドピン６１６，６１７，６１８や後述する第２摺動杆６３５により左右方向への動きを規制されつつ、上下方向へ摺動できるようになっている。
【０１２８】
さて、取付板６０２には、前面枠セット鉤部６１０，６１１，６１２に対応して、上下方向３箇所に矩形状の挿入孔６３１，６３２，６３３が形成されている。また、これら挿入孔６３１，６３２，６３３に対応する内枠１２の部位には、連通孔９７，９８，９９が形成されている（図６参照）。そして、これら挿入孔６３１，６３２，６３３及び連通孔９７，９８，９９を介して、前面枠セット鉤部６１０，６１１，６１２が内枠１２の前面側に突出している。これに対し、前面枠セット１４には、その背面側左側辺部（図４参照）に沿って前扉体被係合部としての長尺状の受け金具１７が取付けられている。受け金具１７には、前面枠セット鉤部６１０，６１１，６１２に対応して、上下方向３箇所に矩形状の係止孔１７ａ，１７ｂ，１７ｃが設けられている。
【０１２９】
上記構成により、前面枠セット１４の施錠状態においては、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制される。
【０１３０】
一方、裏パックユニット２０３には、その前面側右側辺（図４参照）に沿って、後扉体被係合部としての長尺状の受け金具２０４が取付けられている。受け金具２０４には、裏パック鉤部６２１，６２２に対応して、上下２箇所に矩形状の係止孔２０４ａ，２０４ｂが形成されている。
【０１３１】
上記構成により、裏パックユニット２０３の施錠状態においては、裏パック鉤部６２１，６２２が、裏パックユニット２０３の受け金具２０４の係止孔２０４ａ，２０４ｂを介して、受け金具２０４の背面側にて係止され、裏パックユニット２０３の開放が規制される。
【０１３２】
なお、第１摺動杆６０５の摺動範囲のうち、ガイド孔６１３，６１４，６１５の下縁部がガイドピン６１６，６１７，６１８に当接している位置が、前面枠セット鉤部６１０，６１１，６１２及び裏パック鉤部６２１，６２２がそれぞれ対応する被係合部（受け金具１７及び受け金具２０４）に係止される位置となる〔図２０（ａ）参照〕。つまり、この位置が第１摺動杆６０５の基準位置であり、前面枠セット鉤部６１０，６１１，６１２及び裏パック鉤部６２１，６２２の施錠位置に相当する。
【０１３３】
これに対し、第１摺動杆６０５が下方へ摺動し、ガイド孔６１３，６１４，６１５の略中央部がガイドピン６１６，６１７，６１８に達したところで、前面枠セット鉤部６１０，６１１，６１２が受け金具１７から離脱する〔図２０（ｂ）参照〕。つまり、この位置が前面枠セット１４の開放を許容する前面枠セット鉤部６１０，６１１，６１２の解錠許容位置に相当する。さらに、第１摺動杆６０５が下方へ摺動し、ガイド孔６１３，６１４，６１５の上縁部がガイドピン６１６，６１７，６１８に当接したところで、裏パック鉤部６２１，６２２が受け金具２０４から離脱する〔図２０（ｃ）参照〕。つまり、この位置が裏パックユニット２０３の開放を許容する裏パック鉤部６２１，６２２の解錠許容位置に相当する。
【０１３４】
次に、内枠１２の施錠機構に係る部分について説明する。基枠６０１の内側には、前記施錠機構の主要構成部となる第２摺動杆６３５が上下方向に摺動可能なように配設されている。
【０１３５】
第２摺動杆６３５は、第１摺動杆６０５の支持側壁部６０７に重畳するように配設された長尺状の本体部６３６と、内枠１２施錠用の上下一対の内枠鉤部６３７，６３８とを備えている。第２摺動杆６３５（本体部６３６）が本実施形態における第１の摺動部材を構成し、内枠鉤部６３７，６３８が本体用鉤部（本体用係合部）を構成する。
【０１３６】
支持板６０３の膨出部６０３ａ（支持側壁部６０７の膨出部６０７ａ）に対応する本体部６３６の所定の上下区間には、同様に内枠１２内方側へ膨出した膨出部６３６ａが形成されている。但し、本体部６３６の膨出部６３６ａの形成区間は、支持側壁部６０７の膨出部６０７ａの形成区間よりも短く設定されており、第２摺動杆６３５の摺動の妨げとならないようになっている。
【０１３７】
両内枠鉤部６３７，６３８のうち上側の内枠鉤部６３７は、上側の前面枠セット鉤部６１０のやや下方位置でかつ上側の裏パック鉤部６２１より上方位置に設けられている。一方、下側の内枠鉤部６３８は、下側の前面枠セット鉤部６１２のやや下方位置でかつ本体部６３６の下端部において設けられている。
【０１３８】
内枠鉤部６３７，６３８は、本体部６３６の後端縁部より後方へ延出した基部６３７ａ，６３８ａと、当該基部６３７ａ，６３８ａの後端側において後方へ先細りするように設けられた略三角形状の頭部６３７ｂ，６３８ｂとから構成されている。
【０１３９】
頭部６３７ｂ，６３８ｂの下端部は、基部６３７ａ，６３８ａより下方に突出しており、当該突出部分が本実施形態における爪部（係止部）として機能する。従って、内枠鉤部６３７，６３８は、自身の下側において上記外枠１１の受け金具８３，８４に係止されることとなる。本実施形態における頭部６３７ｂ，６３８ｂ（爪部）の突出長Ｔ３は約７．０ｍｍに設定されている。
【０１４０】
また、頭部６３７ｂ，６３８ｂの下辺部は、先端部に向けて上方に傾斜した傾斜案内部（図１９：頭部６３７ｂの傾斜案内部６３７ｄ参照）となっている。
【０１４１】
内枠鉤部６３７，６３８に対応して、支持板６０３の後端縁部には、後方へ延出した延出部６４１，６４２が形成されている。延出部６４１，６４２は、内枠鉤部６３７，６３８の基部６３７ａ，６３８ａの摺動範囲ほぼ全域において、当該基部６３７ａ，６３８ａと重畳するように形成されており、基部６３７ａ，６３８ａと常時略当接状態で当該基部６３７ａ，６３８ａを支持している。なお、延出部６４１，６４２は、内枠鉤部６３７，６３８の基部６３７ａ，６３８ａと略当接状態となるように、上記第１摺動杆６０５の厚み分を考慮し、その付根部において支持板６０３と段差をもって形成されている。
【０１４２】
内枠鉤部６３７，６３８の基部６３７ａ，６３８ａには、上下方向に長い長円状のガイド孔６４３，６４４が形成されている。これらガイド孔６４３，６４４を介して、基枠６０１内側（内枠１２外方側）から延出部６４１，６４２に対しガイドピン６４５，６４６が固定されている。
【０１４３】
また、第１摺動杆６０５の取付側壁部６０６には、上下方向３箇所において、第２摺動杆６３５の内枠１２外方側への動きを規制する規制突起６４７，６４８，６４９が設けられている。規制突起６４７，６４８，６４９は、第２摺動杆６３５は取付状態の安定性を高める機能とともに、第２摺動杆６３５の摺動動作の安定性を高めるガイド部としての機能を備えている。従って、第２摺動杆６３５は、第１摺動杆６０５の支持側壁部６０７や規制突起６４７，６４８，６４９により左右方向への動きを規制され、かつ、第１摺動杆６０５の取付側壁部６０６や支持板６０３の後端縁部に設けられたフランジ部６５１，６５２により前後方向への動きを規制されつつ、上下方向へ摺動できるようになっている。
【０１４４】
なお、第２摺動杆６３５の摺動範囲のうち、ガイド孔６４３，６４４の上縁部がガイドピン６４５，６４６に当接している位置が、内枠鉤部６３７，６３８が受け金具８３，８４に係止される位置となる。つまり、この位置が第２摺動杆６３５の基準位置であり、内枠鉤部６３７，６３８の施錠位置に相当する。
【０１４５】
これに対し、第２摺動杆６３５が上方へ摺動し、ガイド孔６４３，６４４の下縁部がガイドピン６４５，６４６に当接したところで、内枠鉤部６３７，６３８が受け金具８３，８４から離脱する。つまり、この位置が、内枠１２の開放を許容する内枠鉤部６３７，６３８の解錠許容位置に相当する。
【０１４６】
上記構成により、内枠１２の施錠状態においては、外枠１１の内側に固定された受け金具８３，８４に対して内枠鉤部６３７，６３８が係止され、内枠１２の開放が規制される。
【０１４７】
さて、第１摺動杆６０５及び第２摺動杆６３５は、付勢手段としてのコイルばねＣ１により、それぞれ上方又は下方へ付勢されている。より詳しくは、第２摺動杆６３５における本体部６３６の後端縁部には、第１摺動杆６０５における上側の裏パック鉤部６２１の基部６２１ａ及び支持板６０３の延出部６２５の形成位置に対応して、後方に向け延出した延出部６５０が形成されている。そして、この延出部６５０に設けられたフック部６５３にコイルばねＣ１の一端が掛けられるとともに、他端が第１摺動杆６０５（裏パック鉤部６２１の基部６２１ａ）に設けられたフック部６５４に掛けられている。
【０１４８】
上記コイルばねＣ１の引張力によって、通常時には、第１摺動杆６０５は、ガイド孔６１３，６１４，６１５の下縁部がガイドピン６１６，６１７，６１８に付勢される位置、つまり基準位置において下方への動作が抑えられた状態で保持されている。一方、第２摺動杆６３５は、ガイド孔６４３，６４４の上縁部がガイドピン６４５，６４６に付勢される位置、つまり基準位置において上方への動作が抑えられた状態で保持されている。そして、後述するシリンダ錠７００が操作された場合には、コイルばねＣ１の引張力に抗して、第１摺動杆６０５が下方へ、又は第２摺動杆６３５が上方へ摺動変位する。
【０１４９】
さて、取付板６０２の幅広部６０２ａには、錠部材としてのシリンダ錠７００が取付けられている。図１６に示すように、シリンダ錠７００は、略筒状をなすシリンダ本体７０１と、シリンダ本体７０１内部に設けられ、内部に鍵穴７０２を有してなる錠軸７０３と、シリンダ本体７０１の外周に設けられた外筒７０４とを備えている。
【０１５０】
シリンダ錠７００は、取付板６０２の取付孔６０２ｂに対しシリンダ本体７０１を挿通した状態で、フランジ部７０５を取付板６０２の背面側にネジ止めすることにより固定されている。
【０１５１】
シリンダ本体７０１には、該シリンダ本体７０１の内外を連通する上下８つずつ、合計１６個の透孔７０６が形成されている。これに対応して、錠軸７０３にも、各透孔７０６と連通する１６個の透孔７０８が形成されている。かかる透孔７０８の鍵穴７０２側は、後述するピン７１４等の収容部材が鍵穴７０２内に脱落しないように他の部位よりも小径に形成されている。
【０１５２】
各透孔７０６内には、それぞれバネ７０９が収容されている。バネ７０９の一端は前記外筒７０４に当接し、他端には台座７１１が連結されている。また、各透孔７０８内には、前記台座７１１に支持されるようにして、複数のスペーサ７１２，７１３及びピン７１４が収容されている。そして、これらピン７１４、スペーサ７１２，７１３、台座７１１は、バネ７０９の伸縮によって各透孔７０６，７０８内を上下動可能となっている。このうち、ピン７１４は、前記透孔７０８の鍵穴７０２側の小径部を介して鍵穴７０２内に出没可能となっている。
【０１５３】
上記構成により、鍵穴７０２内への鍵Ｋの挿入時には、当該鍵Ｋの上下両側の凹凸形状に沿って各ピン７１４等が上下動する。そして、鍵Ｋの挿入完了状態にあっては、図１７に示すように各ピン７１４がそれぞれ鍵Ｋの溝に入り込んだ状態となり、ピン７１４の基端面、又は、スペーサ７１２若しくは７１３の一方の端面と、錠軸７０３の外周面とが面一になる。これにより、鍵Ｋの挿入完了状態にあっては、鍵Ｋの回動操作に伴って錠軸７０３が回動可能となる。つまり、このシリンダ錠７００は、少なくとも鍵穴７０２に鍵Ｋを挿し込まない限り錠軸７０３を回動させることができない内部構造となっている。
【０１５４】
また、錠軸７０３の後端部には、鍵穴７０２に挿入された鍵Ｋの回動動作を第１摺動杆６０５又は第２摺動杆６３５に伝達する係合部材としてのカム板７２０が固定されている。
【０１５５】
カム板７２０は、図１８に示すように上下一対の上係合爪７２０ａ及び下係合爪７２０ｂを備えている。これらの係合爪７２０ａ，７２０ｂは、カム板７２０の回動方向に所定間隔を置いて形成されている。
【０１５６】
これに合わせて、第１摺動杆６０５の膨出部６０７ａには、係合爪７２０ａ，７２０ｂが係合可能な上下一対の上係合孔７２５及び下係合孔７２６が形成されている。同様に、第２摺動杆６３５の膨出部６３６ａには、係合爪７２０ａ，７２０ｂが係合可能な上下一対の上係合孔７２７及び下係合孔７２８が形成されている。また、支持板６０３には、係合爪７２０ａ，７２０ｂの動作を妨げないように透孔７３０が形成されている。
【０１５７】
第１摺動杆６０５の係合孔７２５，７２６及び第２摺動杆６３５の係合孔７２７，７２８は、第１摺動杆６０５及び第２摺動杆６３５の重畳状態にあっては、少なくとも上係合孔７２５，７２７同士、及び、下係合孔７２６，７２８同士が連通状態となっている（図１８参照）。
【０１５８】
また、第１摺動杆６０５側では、両係合孔７２５，７２６のうち上係合孔７２５よりも下係合孔７２６の方が、上下方向の形成区間が長めに設定されている。これに対し、第２摺動杆６３５側では、両係合孔７２７，７２８のうち下係合孔７２８よりも上係合孔７２７の方が、上下方向の形成区間が長めに設定されている。これは、後述するように第１摺動杆６０５又は第２摺動杆６３５の一方をカム板７２０が摺動させる際に、他方に上係合爪７２０ａ又は下係合爪７２０ｂを接触させないようにして、他方を摺動させないようにするためである。
【０１５９】
上記構成のもと、図１８（ａ）に示すように、シリンダ錠７００の鍵穴７０２に鍵Ｋが挿し込まれていない状態で、錠軸７０３及びカム板７２０が基準位置にある場合には、上係合爪７２０ａの先端が、第１摺動杆６０５及び第２摺動杆６３５の上係合孔７２５，７２７に挿通状態となるとともに、下係合爪７２０ｂの先端が、第１摺動杆６０５及び第２摺動杆６３５の下係合孔７２６，７２８に挿通状態となる。また、上述したように、本実施形態のシリンダ錠７００は、鍵穴７０２に鍵Ｋの挿入がない場合には錠軸７０３及びカム板７２０を回動させることができない状態（ロック状態）となるため、カム板７２０が基準位置にある場合には、係合爪７２０ａ，７２０ｂにより第１摺動杆６０５及び第２摺動杆６３５の摺動が規制されることとなる。例えば、仮に鍵Ｋを用いずに、基準位置にある第１摺動杆６０５に対し線材等を不正に引っ掛けて、当該第１摺動杆６０５に対し解錠方向への外力がかけられた場合には、係合爪７２０ａ，７２０ｂが第１摺動杆６０５の係合孔７２５，７２６の縁部に引っ掛かり、第１摺動杆６０５の解錠方向への摺動変位が、係合孔７２５等の遊び長を除き実質的に規制される。
【０１６０】
次に、施錠装置６００の作用について詳しく説明する。先ず前面枠セット１４の施錠及び解錠について詳しく説明する。前面枠セット１４の施錠状態においては、図２０（ａ）に示すように、第１摺動杆６０５が基準位置をとることにより、前面枠セット鉤部６１０，６１１，６１２が前面枠セット１４の受け金具１７の係止孔１７ａ，１７ｂ，１７ｃを介して、受け金具１７の前面側にて係止され、前面枠セット１４の開放が規制されている。図２０は第１摺動杆６０５の動きを説明するための図である。
【０１６１】
そして、前面枠セット１４を解錠する際には、シリンダ錠７００の鍵穴７０２に鍵Ｋを挿入し、パチンコ機１０の正面側（図１参照）から見て反時計回り方向に回動させる。この操作が本実施形態における鍵Ｋによる第２の方向への操作に相当する。これにより、カム板７２０が同方向に回動して、上係合爪７２０ａが第１摺動杆６０５の上係合孔７２５の下縁部に接触する〔図１８（ｂ）参照〕。但し、図１８（ｂ）は、パチンコ機１０の背面側から見た図であるため、カム板７２０の回動方向は時計回り方向となっている。
【０１６２】
その後、さらにカム板７２０を回動させていくに従って、上係合爪７２０ａがコイルばねＣ１の引張力に抗して第１摺動杆６０５を下方へ押し下げていく。同時に、下係合爪７２０ｂは第１摺動杆６０５及び第２摺動杆６３５に作用を及ぼすことなく、両下係合孔７２６，７２８から離脱する。この際、上係合爪７２０ａが挿通された第２摺動杆６３５の上係合孔７２７の下部には、上係合爪７２０ａが下方へ変位するスペースが確保されているため、第１摺動杆６０５を押し下げていく過程において、上係合爪７２０ａが第２摺動杆６３５に当接せず、その動作が妨げられないようになっている。
【０１６３】
第１摺動杆６０５が下方へ摺動すると、鍵Ｋを反時計回り方向に約４５度回動させたところで、図２０（ｂ）に示すように、すべての前面枠セット鉤部６１０，６１１，６１２と、受け金具１７との係合が解除され、前面枠セット１４の開放が許容される。つまり、鍵Ｋを反時計回り方向に約４５度回動させた分の第１摺動杆６０５の変位量Ｘ１が、前面枠セット鉤部６１０，６１１，６１２が施錠位置から解錠許容位置に達するまでに要する変位量、すなわち前面枠セット１４の解錠に要する前面枠セット鉤部６１０，６１１，６１２の変位量に相当する。
【０１６４】
なお、この段階では、後述するように裏パック鉤部６２１，６２２が解錠許容位置に達していないため、裏パックユニット２０３は開放不能である。
【０１６５】
また、前面枠セット１４が開放された時点で、鍵Ｋを操作する手の力を緩めると、コイルばねＣ１の引張力により、第１摺動杆６０５は上方へ引き上げられ、基準位置に復帰する。これに伴い、カム板７２０及び錠軸７０３も基準位置に復帰する。
【０１６６】
次に内枠１２の施錠及び解錠について詳しく説明する。内枠１２の施錠状態においては、第２摺動杆６３５が基準位置をとることにより、内枠鉤部６３７，６３８が外枠１１の受け金具８３，８４に係止され、内枠１２の開放が規制されている。
【０１６７】
そして、内枠１２を解錠する際には、シリンダ錠７００の鍵穴７０２に鍵Ｋを挿入し、パチンコ機１０の正面側から見て時計回り方向に回動させる。この操作が本実施形態における鍵Ｋによる第１の方向への操作に相当する。これにより、カム板７２０が同方向に回動して、下係合爪７２０ｂが第２摺動杆６３５の下係合孔７２８の上縁部に接触する〔図１８（ｃ）参照〕。但し、図１８（ｃ）は、パチンコ機１０の背面側から見た図であるため、カム板７２０の回動方向は反時計回り方向となっている。
【０１６８】
その後、さらにカム板７２０を回動させていくに従って、下係合爪７２０ｂがコイルばねＣ１の引張力に抗して第２摺動杆６３５を上方へ押し上げていく。同時に、上係合爪７２０ａは第１摺動杆６０５及び第２摺動杆６３５に作用を及ぼすことなく、両上係合孔７２５，７２７から離脱する。この際、下係合爪７２０ｂが挿通された第１摺動杆６０５の下係合孔７２６の上部には、下係合爪７２０ｂが上方へ変位するスペースが確保されているため、第２摺動杆６３５を押し上げていく過程において、下係合爪７２０ｂが第１摺動杆６０５に当接せず、その動作が妨げられないようになっている。
【０１６９】
第２摺動杆６３５が上方へ摺動すると、鍵Ｋを時計回り方向に約９０度回動させたところで、内枠鉤部６３７，６３８と、受け金具８３，８４との係合が解除され、内枠１２の開放が許容される。つまり、鍵Ｋを時計回り方向に約９０度回動させた分の第２摺動杆６３５の変位量が、内枠鉤部６３７，６３８が施錠位置から解錠許容位置に達するまでに要する変位量、すなわち内枠１２の解錠に要する内枠鉤部６３７，６３８の変位量に相当する。
【０１７０】
また、内枠１２が開放された時点で、鍵Ｋを操作する手の力を緩めると、コイルばねＣ１の引張力により、第２摺動杆６３５は下方へ引き上げられ、基準位置に復帰する。これに伴い、カム板７２０及び錠軸７０３も基準位置に復帰する。
【０１７１】
次に裏パックユニット２０３の施錠及び解錠について詳しく説明する。裏パックユニット２０３の施錠状態においては、前面枠セット１４の場合と同様に、第１摺動杆６０５が基準位置をとることにより、裏パック鉤部６２１，６２２が裏パックユニット２０３の受け金具２０４の係止孔２０４ａ，２０４ｂを介して、受け金具２０４の背面側にて係止され、裏パックユニット２０３の開放が規制されている。
【０１７２】
そして、裏パックユニット２０３を解錠する際には、内枠１２を開放させた後、前面枠セット１４の場合と同様にシリンダ錠７００の鍵穴７０２に挿入した鍵Ｋをパチンコ機１０の正面側から見て反時計回り方向に回動させる。これにより、カム板７２０が同方向に回動して、上係合爪７２０ａが第１摺動杆６０５の上係合孔７２５の下縁部に接触する。その後、さらにカム板７２０を回動させていくに従って、上係合爪７２０ａがコイルばねＣ１の引張力に抗して第１摺動杆６０５を下方へ押し下げていく。
【０１７３】
第１摺動杆６０５が下方へ摺動すると、鍵Ｋを反時計回り方向に約９０度回動させたところで、図２０（ｃ）に示すように、すべての裏パック鉤部６２１，６２２と、受け金具２０４との係合が解除され、裏パックユニット２０３の開放が許容される。つまり、鍵Ｋを反時計回り方向に約９０度回動させた分の第１摺動杆６０５の変位量Ｘ２が、裏パック鉤部６２１，６２２が施錠位置から解錠許容位置に達するまでに要する変位量、すなわち裏パックユニット２０３の解錠に要する裏パック鉤部６２１，６２２の変位量に相当する。
【０１７４】
上述したように、本実施形態では、シリンダ錠７００の鍵穴７０２に鍵Ｋが挿入されていない場合には、第１摺動杆６０５及び第２摺動杆６３５の摺動が規制されるため、開状態にある内枠１２、前面枠セット１４又は裏パックユニット２０３を施錠する際には、鍵Ｋを用いなければ施錠を行うことができない。このため、例えば鍵Ｋを用いずに開状態にある内枠１２を閉じた場合には、内枠鉤部６３７，６３８の頭部６３７ｂ，６３８ｂの傾斜案内部が受け金具８３，８４とぶつかって第２摺動杆６３５に上方向への外力が加わっても、第２摺動杆６３５は上方へ摺動せず、内枠１２を閉状態とすることはできない。従って、開状態にある内枠１２を施錠する際には、鍵Ｋを用いてシリンダ錠７００を操作し、受け金具８３，８４によって妨げられない位置、すなわち内枠鉤部６３７，６３８の解錠位置まで第２摺動杆６３５を摺動変位させた状態で、内枠１２を閉じていき、頭部６３７ｂ，６３８ｂが受け金具８３，８４を越えて内枠１２が完全に閉じた状態とした上で、第２摺動杆６３５を係止位置へ戻すといった方法がとられる。この他、シリンダ錠７００の鍵穴７０２に鍵Ｋを挿入した状態のまま、当該鍵Ｋを操作することなく、内枠１２を閉じていく方法も可能である。この場合、内枠１２を閉じていき、内枠鉤部６３７，６３８の頭部６３７ｂ，６３８ｂの傾斜案内部が受け金具８３，８４にぶつかると、この傾斜案内部と受け金具８３，８４とが摺接しつつ、第２摺動杆６３５に上方向への外力が加わり、第２摺動杆６３５がコイルばねＣ１の引張力に抗して上方へ摺動する。そして、内枠鉤部６３７，６３８の頭部６３７ｂ，６３８ｂが受け金具８３，８４を乗り越えると、第２摺動杆６３５がコイルばねＣ１の引張力により元の位置に戻る。これにより、内枠鉤部６３７，６３８が受け金具８３，８４に係止される。もちろん、前面枠セット１４や裏パックユニット２０３の施錠に関しても同様の施錠方法で行われる。
【０１７５】
以上詳述したように、本実施形態では、内枠１２の施錠機構、前面枠セット１４の施錠機構、及び裏パックユニット２０３の施錠機構を１つの施錠装置６００に一体化しているため、部品点数の増加を抑制するとともに、メンテナンス時等における作業性の向上などの利便性の向上を図ることができる。
【０１７６】
また、内枠鉤部６３７，６３８等の各鉤部が第１摺動杆６０５及び第２摺動杆６３５に一体形成されるとともに、シリンダ錠７００の鍵穴７０２に鍵Ｋが挿入されていない状態では、第１摺動杆６０５及び第２摺動杆６３５の摺動が規制される構成となっている。このため、例えば、鍵Ｋを用いずに線材等によって第１摺動杆６０５又は第２摺動杆６３５に対し直接の解錠操作、すなわち不正な解錠操作が行われた場合でも、第１摺動杆６０５又は第２摺動杆６３５は基準位置に維持されるため、内枠１２等の開放は許容されない。結果として、線材等を用いた不正解錠に対する防御性能の向上が図られる。
【０１７７】
さらに、内枠１２の背面側において主制御装置２６１等の制御機器を覆うように裏パックユニット２０３が配置されるとともに、当該裏パックユニット２０３が内枠１２に対し施錠される構成となっている。このため、上記裏パックユニット２０３により主制御装置２６１等の制御機器に対する不正行為を行うことは困難となる。
【０１７８】
加えて、本実施形態では、鍵Ｋによる同一方向への操作により施錠作業や解錠作業を行うことのできる前面枠セット１４と裏パックユニット２０３に関し、前面枠セット１４の解錠に要する第１摺動杆６０５（前面枠セット鉤部６１０，６１１，６１２）の変位量と、裏パックユニット２０３の解錠に要する第１摺動杆６０５（裏パック鉤部６２１，６２２）の変位量とを異ならせている。従って、より大きな変位量を要する裏パック鉤部６２１，６２２により施錠される裏パックユニット２０３が開放不能な状態のまま、変位量の小さい前面枠セット鉤部６１０，６１１，６１２により施錠される前面枠セット１４を開放可能な状態とすることができる。これにより、例えば遊技盤３０上のメンテナンス終了後など、開放状態にある前面枠セット１４を、鍵Ｋを操作することなく閉鎖する際に、一旦、前面枠セット１４に対応する前面枠セット鉤部６１０，６１１，６１２が解錠許容位置に変位したとしても、裏パックユニット２０３に対応する裏パック鉤部６２１，６２２は解錠許容位置に達しないため、この間、裏パックユニット２０３は規制解除されず開放可能とならない。そのため、仮に前面枠セット１４を閉鎖する勢いが強かったとしても、閉鎖状態にある内枠１２の背面側において裏パックユニット２０３が開放されてしまうおそれもない。結果として、前面枠セット１４の施錠作業や解錠作業を行う際に、裏パックユニット２０３へ与える影響を低減させ、上記課題で述べたような不具合の発生を抑制することができる。
【０１７９】
なお、上述した実施形態の記載内容に限定されず、例えば次のように実施してもよい。
【０１８０】
（ａ）施錠装置６００の構成は上記実施形態に限定されるものではない。例えば、上記実施形態では、前面枠セット１４の施錠機構に関し、施錠装置６００側に爪部を有する前面枠セット鉤部６１０，６１１，６１２が設けられ、前面枠セット１４側に、これらと係合する被係合部としての受け金具１７が設けられている。これに限らず、例えば図２１（ａ）に示すように、前面枠セット１４側に、爪部を有する鉤部（被係合部）９００を設け、施錠装置６００側に、鉤部９００と係合する前面枠セット係合部９０１が設けられた構成としてもよい。この場合、解錠の際には、施錠装置６００側の係合部９０１（第１摺動杆６０５）が動作することにより、両者の係合状態が外れることとなる。
【０１８１】
もちろん、内枠１２や裏パックユニット２０３の施錠機構に関しても同様の構成とすることができる。例えば図２１（ｂ）に示すように、裏パックユニット２０３側に、爪部を有する鉤部（被係合部）９０３を設け、施錠装置６００側に、鉤部９０３と係合する裏パック係合部９０４が設けられた構成としてもよい。
【０１８２】
（ｂ）上記実施形態では、鍵Ｋによる同一方向への操作により前面枠セット１４と裏パックユニット２０３の施錠作業や解錠作業を行うことができる構成となっている。これに限らず、鍵Ｋによる同一方向への操作により内枠１２と裏パックユニット２０３の施錠作業や解錠作業を行うことができる構成としてもよい。例えば図２１（ｃ）に示すように、第２摺動杆６３５に内枠鉤部６３７等とともに裏パック鉤部９０５等が設けられた構成としてもよい。
【０１８３】
また、例えば鍵Ｋを反時計回り方向に回動操作することで内枠１２や前面枠セット１４が解錠され、時計回りに回動操作することで裏パックユニット２０３が解錠される構成といったように、内枠１２及び前面枠セット１４の施錠・解錠作業を行うための機構と、裏パックユニット２０３の施錠・解錠作業を行うための機構とが連動しない構成としてもよい。
【０１８４】
例えば前面枠セット１４用の前面枠セット鉤部６１０，６１１，６１２とともに、内枠１２用の内枠鉤部６３７，６３８が第１摺動杆６０５に連動して動くように設けられることで、同一方向への鍵Ｋの操作により、前面枠セット鉤部６１０，６１１，６１２が受け金具１７から離脱するとともに、内枠鉤部６３７，６３８が受け金具８３，８４から離脱する構成とすることができる。
【０１８５】
このようにすれば、内枠１２又は前面枠セット１４の施錠・解錠作業を、裏パックユニット２０３の施錠・解錠作業とは連動せずに行うことができるため、内枠１２や前面枠セット１４の施錠・解錠作業を行う際に、裏パックユニット２０３が開放されてしまう等といった不具合が発生しない。
【０１８６】
この場合、さらに前面枠セット１４の解錠に要する第１摺動杆６０５（前面枠セット鉤部６１０，６１１，６１２）の変位量が、内枠１２の解錠に要する第１摺動杆６０５（内枠鉤部６３７，６３８）の変位量より小さくなるように設定すれば、当該内枠鉤部６３７，６３８により施錠される内枠１２が開放不能な状態のまま、前面枠セット鉤部６１０，６１１，６１２により施錠される前面枠セット１４を開放可能な状態とすることができる。
【０１８７】
例えば、鍵Ｋを反時計回り方向に約４５度回動させたところで、すべての前面枠セット鉤部６１０，６１１，６１２と、受け金具１７との係合が解除され、前面枠セット１４の開放が許容される。この段階では、内枠鉤部６３７，６３８が解錠許容位置に達していないため、内枠１２は開放不能である。そして、さらに鍵Ｋを反時計回り方向に回動させ、その操作量が約９０度に達したところで、内枠鉤部６３７，６３８と、受け金具８３，８４との係合が解除され、内枠１２の開放が許容される。
【０１８８】
このような構成とすることで、例えば遊技盤３０上のメンテナンス終了後など、開放状態にある前面枠セット１４を、鍵Ｋを操作することなく閉鎖する際に、一旦、前面枠セット１４に対応する前面枠セット鉤部６１０，６１１，６１２が解錠許容位置に変位したとしても、内枠１２に対応する内枠鉤部６３７，６３８は解錠許容位置に達しないため、この間、内枠１２は規制解除されず開放可能とならない。そのため、仮に前面枠セット１４を閉鎖する勢いが強かったとしても、閉鎖状態にある内枠１２が開放されてしまうおそれもない。
【０１８９】
また、これに代えて、前面枠セット１４の解錠に要する第１摺動杆６０５（前面枠セット鉤部６１０，６１１，６１２）の変位量が、内枠１２の解錠に要する第１摺動杆６０５（内枠鉤部６３７，６３８）の変位量より大きくなるよう設定した場合でも、同様に、裏パックユニット２０３へ与える影響は低減される。
【０１９０】
（ｃ）上記実施形態では、裏パックユニット２０３の解錠に要する第１摺動杆６０５（裏パック鉤部６２１，６２２）の変位量Ｘ２が、前面枠セット１４の解錠に要する第１摺動杆６０５（前面枠セット鉤部６１０，６１１，６１２）の変位量Ｘ１より大きく設定されている。これに限らず、裏パックユニット２０３の解錠に要する第１摺動杆６０５の変位量Ｘ２が、前面枠セット１４の解錠に要する第１摺動杆６０５の変位量Ｘ１より小さく設定された構成としてもよい。
【０１９１】
同様に、仮に第２摺動杆６３５に内枠鉤部６３７，６３８とともに裏パック鉤部６２１，６２２が設けられた構成においては、裏パックユニット２０３の解錠に要する第２摺動杆６３５（裏パック鉤部６２１，６２２）の変位量が、内枠１２の解錠に要する第２摺動杆６３５（内枠鉤部６３７，６３８）の変位量より大きく設定されてもよいし、小さく設定されてもよい。
【０１９２】
裏パックユニット２０３の解錠に要する裏パック鉤部６２１，６２２の変位量が小さく設定されている場合、裏パックユニット２０３の施錠作業や解錠作業を行う際に、内枠１２又は前面枠セット１４が開放されてしまうような不具合の発生を抑制することができる。逆に、裏パックユニット２０３の解錠に要する裏パック鉤部６２１，６２２の変位量が大きく設定されている場合、上記実施形態で述べたように、内枠１２又は前面枠セット１４の施錠作業や解錠作業を行う際に、裏パックユニット２０３が開放されてしまうような不具合の発生を抑制することができる。特に、裏パックユニット２０３は内枠１２の背面側にあるため、気付かぬうちに開放してしまうおそれがあり、このように裏パックユニット２０３が開放されてしまった場合には、一旦、内枠１２を開放した上で裏パックユニット２０３を閉鎖するといった非常に手間のかかる作業を要する。従って、このような不具合を解消する点においては、裏パックユニット２０３の解錠に要する裏パック鉤部６２１，６２２の変位量が大きく設定されている構成の方がより好ましい。
【０１９３】
（ｄ）上記実施形態では、シリンダ錠７００の鍵穴７０２に鍵Ｋを挿入し、時計回り方向に回動操作することで内枠１２が解錠され、反時計回りに回動操作することで前面枠セット１４や裏パックユニット２０３が解錠される構成となっている。これに限らず、鍵Ｋによる操作方向、すなわち第１摺動杆６０５や第２摺動杆６３５の摺動方向が逆であってもよい。上記実施形態では、例えば第２摺動杆６３５が上方へ摺動することにより、内枠鉤部６３７，６３８が受け金具８３，８４から離脱する構成となっているが、第２摺動杆６３５が下方へ摺動することにより、内枠鉤部６３７，６３８が受け金具８３，８４から離脱する構成を採用してもよい。
【０１９４】
（ｅ）前面枠セット鉤部６１０等の各鉤部の構成は上記実施形態に限定されるものではない。例えば上記実施形態では、前面枠セット鉤部６１０等の各鉤部が第１摺動杆６０５や第２摺動杆６３５に一体形成されているが、これに限らず、前面枠セット鉤部６１０等を構成する鉤部材がネジ等の固定手段により第１摺動杆６０５や第２摺動杆６３５に対し相対変位不能に固定された構成としてもよい。
【０１９５】
また、上記実施形態では、先端に向け先細りした略三角形状の頭部を有した鉤部を採用しているが、これに限らず、例えば上記傾斜案内部を省略し、頭部の先端が上下方向に沿って略直線状に形成された鉤部を採用してもよい。上記実施形態では、シリンダ錠７００への鍵Ｋの非挿入状態において、第１摺動杆６０５及び第２摺動杆６３５の摺動変位がカム板７２０により規制される構成を採用しているため、仮に鍵Ｋを用いずに開状態にある内枠１２等を無理に閉じてしまうと、第１摺動杆６０５や第２摺動杆６３５に解錠方向への力がかかり、カム板７２０が破損してしまうおそれがある。これに対し、前記構成を採用すれば、仮に鍵Ｋを用いずに開状態にある内枠１２等を閉じた際に、内枠鉤部６３７，６３８等の鉤部の頭部先端が受け金具８３，８４等の被係合部に接触した場合でも、第１摺動杆６０５や第２摺動杆６３５には解錠方向への力がかからないため、上記不具合は生じない。
【０１９６】
また、内枠鉤部６３７，６３８等の各鉤部、及びこれに対応する受け金具８３，８４等の各被係合部の数は、上記実施形態の数に限定されるものではなく、例えば１つであってもよい。
【０１９７】
（ｆ）上記実施形態では、内枠鉤部６３７，６３８等の各鉤部が第１摺動杆６０５や第２摺動杆６３５に一体形成されるとともに、シリンダ錠７００の鍵穴７０２に鍵Ｋが挿入されていない状態では、第１摺動杆６０５及び第２摺動杆６３５の摺動が規制される構成となっている。これに限らず、内枠鉤部６３７，６３８等の各鉤部が第１摺動杆６０５や第２摺動杆６３５に相対変位可能に設けられ、各鉤部材がそれぞれ独立して摺動変位可能な構成としてもよい。このようにすれば、仮に鍵Ｋを操作せずに前面枠セット１４を閉鎖する際などに前面枠セット鉤部６１０等が変位した場合でも、裏パック鉤部６２１等が変位しないような構成とできるため、前面枠セット１４の施錠作業を行う際に、裏パックユニット２０３が解錠してしまうおそれもなくなる。もちろん、解錠の際には、上記実施形態のように両者に変位量の差を設けることにより上記不具合を抑制することができる。さらに、このような構成とすれば、１つの摺動杆で内枠鉤部６３７等や前面枠セット鉤部６１０等すべての鉤部を変位させることが可能となるため、部品点数の削減を図ることができる。但し、不正解錠に対する防御性能を高める点においては、上記実施形態のように各鉤部が第１摺動杆６０５や第２摺動杆６３５に相対変位不能に設けられた構成とすることが好ましい。
【０１９８】
（ｇ）上記実施形態では、前面枠セット鉤部６１０，６１１，６１２の爪部の突出長Ｔ１と、裏パック鉤部６２１，６２２の爪部の突出長Ｔ２とを異ならせることにより、前面枠セット１４の解錠に要する第１摺動杆６０５の変位量Ｘ１と、裏パックユニット２０３の解錠に要する第１摺動杆６０５の変位量Ｘ２とを異ならせている。これに限らず、例えば、各鉤部及びこれに係合する各被係合部の配置関係により、両者の係り具合を変えることで、前面枠セット１４の解錠に要する変位量Ｘ１と、裏パックユニット２０３の解錠に要する変位量Ｘ２とを異ならせた構成としてもよい。この場合、仮に前面枠セット鉤部６１０等の爪部の突出長Ｔ１と、裏パック鉤部６２１等の爪部の突出長Ｔ２とが同じ場合でも、解錠に要する両変位量Ｘ１，Ｘ２を異ならせることができる。
【０１９９】
（ｈ）上記実施形態では、裏パック鉤部６２１等の爪部の突出長Ｔ２が、前面枠セット鉤部６１０等の爪部の突出長Ｔ１の約２倍に設定されている。つまり、裏パックユニット２０３の解錠に要する第１摺動杆６０５の変位量Ｘ２が、前面枠セット１４の解錠に要する第１摺動杆６０５の変位量Ｘ１の約２倍に設定されている。しかし、両者の差はこれに限定されるものではなく、それ以上でも良いし、それ以下でもよい。但し、両者の差があまりにも小さいと、本発明の作用効果が十分に発揮されないおそれがあるため好ましくない。
【０２００】
（ｉ）上記実施形態では、内枠１２の背面側に１つの裏パックユニット２０３が後扉体として開閉可能に設けられているが、これに限らず、内枠１２の背面側において複数の後扉体を備え、施錠装置６００がこれら後扉体それぞれに対応した複数の後扉体用係合部（鉤部）を備えた構成としてもよい。複数の後扉体を備えることにより、各種制御装置や各種機構を各種機能毎に区別して複数箇所に分けて配設することができるため、メンテナンス時における作業性の向上等を図ることができる。
【０２０１】
（ｊ）上記実施形態では、付勢手段としてのコイルばねＣ１により、第１摺動杆６０５及び第２摺動杆６３５がそれぞれ上方又は下方へ付勢されている。これに限らず、第１摺動杆６０５及び第２摺動杆６３５それぞれに対応して付勢手段を複数備えた構成としてもよい。また、内枠鉤部６３７，６３８等の各鉤部が第１摺動杆６０５や第２摺動杆６３５に対し相対変位可能に構成されている場合などにおいては、各鉤部材に対応して付勢手段を設けた構成としてもよい。
【０２０２】
（ｋ）シリンダ錠７００と異なるシリンダ錠を採用してもよい。例えば、上記実施形態のシリンダ錠７００は、鍵Ｋの挿入がない場合にはロック状態となり、カム板７２０が変位不能となる。そして、第１摺動杆６０５や第２摺動杆６３５が基準位置にある場合には、上係合爪７２０ａの先端が、第１摺動杆６０５及び第２摺動杆６３５の上係合孔７２５，７２７に挿通状態となるとともに、下係合爪７２０ｂの先端が、第１摺動杆６０５及び第２摺動杆６３５の下係合孔７２６，７２８に挿通状態となる。これにより、第１摺動杆６０５及び第２摺動杆６３５の摺動が規制されることとなる。これに限らず、カム板７２０が変位不能とならないシリンダ錠を採用してもよい。また、第１摺動杆６０５や第２摺動杆６３５が基準位置にある場合において、係合爪７２０ａ，７２０ｂが係合孔７２５等に挿通状態とならず、第１摺動杆６０５や第２摺動杆６３５の摺動が規制されない構成を採用してもよい。つまり、前面枠セット１４や内枠１２を閉状態とする際に鍵Ｋを必要としない構成としてもよい。
【０２０３】
また、キーコードを変更可能なシリンダ錠を採用してもよい。キーコードの変更手順の一例としては、まず、所定のリセットピンを押圧した状態で鍵穴に現状の鍵を挿入して回動操作した後、該鍵を引き抜く。そして、リセットピンを押圧したまま、新たに設定したい鍵を鍵穴に挿入し、前記現状の鍵とは逆向きに回動操作した後、リセットピンの押圧状態を解除してから鍵を引き抜く。以上のような操作を行うことで、新たに設定したい鍵に合ったキーコードとすることができる。これにより、遊技ホール単位で鍵を統一できるとともに、不正防止のため、定期的に鍵を変更することができる。
【０２０４】
（ｌ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【図面の簡単な説明】
【０２０５】
【図１】一実施形態におけるパチンコ機を示す正面図である。
【図２】パチンコ機の斜視図である。
【図３】パチンコ機の右側面図である。
【図４】内枠及び前面枠セット等を開放した状態を示す斜視図である。
【図５】外枠の構成を示す斜視図である。
【図６】内枠及び遊技盤の構成を示す正面図である。
【図７】内枠の構成を示す背面図である。
【図８】パチンコ機の構成を示す背面図である。
【図９】電気的構成を示すブロック図である。
【図１０】施錠装置の背面図である。
【図１１】施錠装置の右側面図である。
【図１２】施錠装置の左側面図である。
【図１３】施錠装置の正面図である。
【図１４】背面側から見た施錠装置の分解図である。
【図１５】側面側から見た施錠装置の分解図である。
【図１６】鍵の非挿入時におけるシリンダ錠を示す断面図である。
【図１７】鍵の挿入時におけるシリンダ錠を示す断面図である。
【図１８】（ａ）〜（ｃ）はカム板等の作用を説明するための図である。
【図１９】各鉤部の構成を説明するための施錠装置の部分拡大図である。
【図２０】（ａ）〜（ｃ）は第１摺動杆等の動きを説明するための図である。
【図２１】（ａ）〜（ｃ）は別の実施形態を説明するための図である。
【符号の説明】
【０２０６】
１０…パチンコ機、１１…外枠、１２…内枠、１４…前面枠セット、１７…受け金具、８３，８４…受け金具、２０３…裏パックユニット、２０４…受け金具、６００…施錠装置、６０５…第１摺動杆、６１０，６１１，６１２…前面枠セット鉤部、６２１，６２２…裏パック鉤部、６３５…第２摺動杆、６３７，６３８…内枠鉤部、７００…シリンダ錠、Ｃ１…コイルばね、Ｋ…鍵、Ｔ１，Ｔ２，Ｔ３…突出長、Ｘ１，Ｘ２…変位量。
【図１】
2008154700.tif 000003
【図２】
2008154700.tif 000004
【図３】
2008154700.tif 000005
【図４】
2008154700.tif 000006
【図５】
2008154700.tif 000007
【図６】
2008154700.tif 000008
【図７】
2008154700.tif 000009
【図８】
2008154700.tif 000010
【図９】
2008154700.tif 000011
【図１０】
2008154700.tif 000012
【図１１】
2008154700.tif 000013
【図１２】
2008154700.tif 000014
【図１３】
2008154700.tif 000015
【図１４】
2008154700.tif 000016
【図１５】
2008154700.tif 000017
【図１６】
2008154700.tif 000018
【図１７】
2008154700.tif 000019
【図１８】
2008154700.tif 000020
【図１９】
2008154700.tif 000021
【図２０】
2008154700.tif 000022
【図２１】
2008154700.tif 000023